(57)【要約】【課題】屋外の各種環境要素をタイムラグなしに計測することのできる低コストの環境計測装置および方法を提供する。【解決手段】環境を計測するための装置１０であって、比較的広い範囲であるエリアの所定の環境要素を計測する計測手段を備えるエリア計測車１２と、このエリア計測車１２に積載可能に構成され、比較的狭い範囲であるスポットの環境要素を計測する計測手段を備えるスポット計測車１４とからなるようにする。【選択図】図１
2017227453.tif 000002
【特許請求の範囲】
【請求項１】
環境を計測するための装置であって、
比較的広い範囲であるエリアの所定の環境要素を計測する計測手段を備えるエリア計測車と、このエリア計測車に積載可能に構成され、比較的狭い範囲であるスポットの環境要素を計測する計測手段を備えるスポット計測車とからなることを特徴とする環境計測装置。
【請求項２】
エリア計測車およびスポット計測車は、計測手段の計測位置を取得する位置取得手段と、計測した計測値および取得した計測位置に関するデータを外部に送信するデータ送信手段と、前記各手段に電源を供給する電源供給手段とを備えることを特徴とする請求項１に記載の環境計測装置。
【請求項３】
エリア計測車およびスポット計測車は、周辺に設定した基準観測点の既知の計測データに基づいて、移動に伴う時間経過による誤差を補正するための誤差補正手段をさらに備えることを特徴とする請求項１または２に記載の環境計測装置。
【請求項４】
環境を計測するための方法であって、
比較的広い範囲であるエリアの所定の環境要素を計測する計測手段を備えるエリア計測車を用いて、広域の大まかな環境を計測する計測ステップと、
このエリア計測車に積載可能に構成され、比較的狭い範囲であるスポットの環境要素を計測する計測手段を備えるスポット計測車を用いて、局所の詳細な環境を計測する計測ステップとを備えることを特徴とする環境計測方法。
【発明の詳細な説明】
【技術分野】
【０００１】
本発明は、例えば屋外の各種環境要素（例えば温湿度や日射量など）を計測するための環境計測装置および方法に関するものである。
【背景技術】
【０００２】
近年、地球温暖化やヒートアイランド現象など都市の温熱環境は年々悪化している。特に夏季の気温は３５℃を超えることも多く、熱中症患者が増加するなど、酷暑を緩和する対策が求められている。対策を立案するには、その場の環境を把握し、問題がある場合には、その原因を明らかにする必要がある。
【０００３】
ある程度の広さをもった環境を把握する方法としては、各種環境計測機器（例えば温湿度計や日射計など）を複数個所に設置して行う定点観測（例えば、特許文献１を参照）、または車や自転車等に各種環境計測機器を設置して行う移動計測（例えば、特許文献２を参照）が考えられる。
【０００４】
定点観測では、多数の計測機器を準備して設置する必要があり、設備コストがかかるという問題がある。また、機器管理や安全確保、電源確保などの問題もある。一方、移動計測では、計測機器は１セットで済むが、移動に伴う計測地点ごとのタイムラグの発生や、風速のように計測が難しい環境要素があるといった問題がある。
【先行技術文献】
【特許文献】
【０００５】
【特許文献１】特開２０１０−１４５２５４号公報
【特許文献２】特開２００９−２２２６５７号公報
【発明の概要】
【発明が解決しようとする課題】
【０００６】
このため、屋外の各種環境要素をタイムラグなしに計測することのできる低コストの環境計測技術の開発が求められていた。
【０００７】
本発明は、上記に鑑みてなされたものであって、屋外の各種環境要素をタイムラグなしに計測することのできる低コストの環境計測装置および方法を提供することを目的とする。
【課題を解決するための手段】
【０００８】
上記した課題を解決し、目的を達成するために、本発明に係る環境計測装置は、環境を計測するための装置であって、比較的広い範囲であるエリアの所定の環境要素を計測する計測手段を備えるエリア計測車と、このエリア計測車に積載可能に構成され、比較的狭い範囲であるスポットの環境要素を計測する計測手段を備えるスポット計測車とからなることを特徴とする。
【０００９】
また、本発明に係る他の環境計測装置は、上述した発明において、エリア計測車およびスポット計測車は、計測手段の計測位置を取得する位置取得手段と、計測した計測値および取得した計測位置に関するデータを外部に送信するデータ送信手段と、前記各手段に電源を供給する電源供給手段とを備えることを特徴とする。
【００１０】
また、本発明に係る他の環境計測装置は、上述した発明において、エリア計測車およびスポット計測車は、周辺に設定した基準観測点の既知の計測データに基づいて、移動に伴う時間経過による誤差を補正するための誤差補正手段をさらに備えることを特徴とする。
【００１１】
また、本発明に係る環境計測方法は、環境を計測するための方法であって、比較的広い範囲であるエリアの所定の環境要素を計測する計測手段を備えるエリア計測車を用いて、広域の大まかな環境を計測する計測ステップと、このエリア計測車に積載可能に構成され、比較的狭い範囲であるスポットの環境要素を計測する計測手段を備えるスポット計測車を用いて、局所の詳細な環境を計測する計測ステップとを備えることを特徴とする。
【発明の効果】
【００１２】
本発明に係る環境計測装置は、環境を計測するための装置であって、比較的広い範囲であるエリアの所定の環境要素を計測する計測手段を備えるエリア計測車と、このエリア計測車に積載可能に構成され、比較的狭い範囲であるスポットの環境要素を計測する計測手段を備えるスポット計測車とからなるので、屋外の各種環境要素をタイムラグなしに計測することのできる低コストの環境計測装置を提供することができるという効果を奏する。
【００１３】
また、本発明に係る他の環境計測装置は、上述した発明において、エリア計測車およびスポット計測車は、計測手段の計測位置を取得する位置取得手段と、計測した計測値および取得した計測位置に関するデータを外部に送信するデータ送信手段と、前記各手段に電源を供給する電源供給手段とを備えるので、計測手段の設置場所の制約や電源の有無などに関わりなく、環境計測を実施することができるという効果を奏する。
【００１４】
また、本発明に係る他の環境計測装置は、上述した発明において、エリア計測車およびスポット計測車は、周辺に設定した基準観測点の既知の計測データに基づいて、移動に伴う時間経過による誤差を補正するための誤差補正手段をさらに備えるので、移動に伴う時間経過による誤差を補正することができるという効果を奏する。
【００１５】
また、本発明に係る環境計測方法は、環境を計測するための方法であって、比較的広い範囲であるエリアの所定の環境要素を計測する計測手段を備えるエリア計測車を用いて、広域の大まかな環境を計測する計測ステップと、このエリア計測車に積載可能に構成され、比較的狭い範囲であるスポットの環境要素を計測する計測手段を備えるスポット計測車を用いて、局所の詳細な環境を計測する計測ステップとを備えるので、屋外の各種環境要素をタイムラグなしに計測することのできる低コストの環境計測方法を提供することができるという効果を奏する。
【図面の簡単な説明】
【００１６】
【図１】図１は、本発明に係る環境計測装置および方法の実施の形態を示す概略斜視図である。
【図２】図２は、エリア計測車を示す概略図である。
【図３】図３は、スポット計測車を示す概略図である。
【発明を実施するための形態】
【００１７】
以下に、本発明に係る環境計測装置および方法の実施の形態を図面に基づいて詳細に説明する。なお、この実施の形態によりこの発明が限定されるものではない。
【００１８】
図１〜図３に示すように、本発明に係る環境計測装置１０は、ある程度広いエリアの環境を計測するエリア計測車１２と、局地の温熱環境や風環境を計測するスポット計測車１４とから構成される。
【００１９】
エリア計測車１２は、自動車１６に日射計１８や長波放射計２０、温湿度計２２や路面温度計２４等の計測機器（計測手段）を設置したものであり、車内には小型コンピューター２６、データロガー２８、自己位置を取得するＧＰＳ受信機３０（位置取得手段）、これらに電源を供給するバッテリー３２（電源供給手段）が組み込まれている。なお、全天撮影カメラ等を組み込むこともできる。
【００２０】
データロガー２８は、各計測機器で取得された計測データや、ＧＰＳ受信機３０で取得された位置データなどの情報を収集記録している。また、データロガー２８は３Ｇ回線等を用いた情報送信機能（データ送信手段）を持つため、収集した情報をリアルタイムに外部に送信することもできる。小型コンピューター２６は、データロガー２８に記録された情報を用いて各種演算処理を行う演算処理機能を有している。また、小型コンピューター２６は、移動に伴うタイムラグを補正するため、最寄りの気象庁の観測点（基準観測点）の既知の計測データをもとに、時間経過による誤差を補正する誤差補正手段としての機能を有している。
【００２１】
スポット計測車１４は、電動駆動機構３４を持った台車３６に、三次元風速計３８、温湿度計４０、上下左右前後６方向からの長波・短波を計測する長短波放射計４２、全天撮影カメラ４４等の計測機器（計測手段）、小型コンピューター４６、データロガー４８、自己位置を取得するＧＰＳ受信機５０（位置取得手段）、これらに電源を供給するバッテリー５２（電源供給手段）を組み込んだものである。小型コンピュータ４６、データロガー４８は、それぞれ上記の小型コンピューター２６、データロガー２８と同様の機能を有している。なお、計測者が計測機器に与える影響を排除するため、スポット計測車１４は有線または無線のコントローラーを利用して、少し距離をあけた遠隔より操縦できるようになっている。また、スポット計測車１４の各種計測機器は折り畳み機構５４を備えており、コンパクトな形状に変化可能なため、スポット計測車１４はエリア計測車１２の荷室１２Ａに積載収納して簡単に移動できるようになっている。
【００２２】
本実施の形態の環境計測方法では、まず、エリア計測車１２の各種計測機器を用いて各種環境要素を計測し、そのエリアの大まかな温熱環境を把握する。その際、小型コンピューター２６の誤差補正手段が移動に伴うタイムラグを補正するため、最寄りの気象庁の観測点の計測データをもとに、各種計測機器による計測データに含まれる時間経過による誤差を補正する。補正された計測データはデータロガー２８に記録される。当然、そのエリア内に観測点を設けて、その観測点の計測データをもとに誤差を補正してもよい。また、定点観測にスポット計測車１４を活用してもよい。
【００２３】
次に、スポット計測車１４を用いて、局所（スポット）の詳細環境を計測する。この場合、エリア計測車１２を停車し荷室１２Ａよりスポット計測車１４を車外に出して、折り畳み機構５４を展開する。そして、スポット計測車１４を歩行速度で移動させながら、それに備わる各種計測機器を用いて各種環境要素を計測する。こうすることによって、太陽からの日射熱はもちろん周囲の壁や道路等からの放射熱、風速や風向、温湿度を知ることができる。
【００２４】
このように、エリア計測車１２とスポット計測車１４を組み合わせることで、従来の定点観測のように多数の計測機器がなくても、広域の詳細な環境計測が可能となる。また、機器の管理等も容易で、電源の問題もない。
【００２５】
また、スポット計測車１４を用いることで、移動に伴うタイムラグの解消が可能となり、走行に伴い影響を受ける風速の計測なども可能となる。
【００２６】
上記の実施の形態においては、主に屋外の温熱環境要素を計測する場合を例にとり説明したが、本発明はこれに限るものではない。エリア計測車１２とスポット計測車１４にはデータロガーや位置を取得するＧＰＳ受信機、バッテリーが組み込まれているため、屋外の空気環境（例えばＰＭ２．５やＮＯｘなど）や臭気、騒音などの環境要素の計測も可能である。
【００２７】
また、本実施の形態によれば、現状の環境を把握し、計測結果に基づく最適な対策を立案することができる。また、計測機器設置場所の制約や電源の有無などに関わりなく、環境計測を実施することができる。さらに、少ない計測機器で、ある程度広い範囲の環境を詳細に計測することができる。また、カメラやＧＰＳ受信機のデータをもとに、温熱環境の形成要因を確認することができる。計測機器を変えれば、様々な環境計測に活用することができる。
【００２８】
以上説明したように、本発明に係る環境計測装置は、環境を計測するための装置であって、比較的広い範囲であるエリアの所定の環境要素を計測する計測手段を備えるエリア計測車と、このエリア計測車に積載可能に構成され、比較的狭い範囲であるスポットの環境要素を計測する計測手段を備えるスポット計測車とからなるので、屋外の各種環境要素をタイムラグなしに計測することのできる低コストの環境計測装置を提供することができる。
【００２９】
また、本発明に係る他の環境計測装置は、上述した発明において、エリア計測車およびスポット計測車は、計測手段の計測位置を取得する位置取得手段と、計測した計測値および取得した計測位置に関するデータを外部に送信するデータ送信手段と、前記各手段に電源を供給する電源供給手段とを備えるので、計測手段の設置場所の制約や電源の有無などに関わりなく、環境計測を実施することができる。
【００３０】
また、本発明に係る他の環境計測装置は、上述した発明において、エリア計測車およびスポット計測車は、周辺に設定した基準観測点の既知の計測データに基づいて、移動に伴う時間経過による誤差を補正するための誤差補正手段をさらに備えるので、移動に伴う時間経過による誤差を補正することができる。
【００３１】
また、本発明に係る環境計測方法は、環境を計測するための方法であって、比較的広い範囲であるエリアの所定の環境要素を計測する計測手段を備えるエリア計測車を用いて、広域の大まかな環境を計測する計測ステップと、このエリア計測車に積載可能に構成され、比較的狭い範囲であるスポットの環境要素を計測する計測手段を備えるスポット計測車を用いて、局所の詳細な環境を計測する計測ステップとを備えるので、屋外の各種環境要素をタイムラグなしに計測することのできる低コストの環境計測方法を提供することができる。
【産業上の利用可能性】
【００３２】
以上のように、本発明に係る環境計測装置および方法は、屋外の各種環境要素（例えば温湿度や日射量など）を計測するのに有用であり、特に、各種環境要素をタイムラグなしに低コストで計測するのに適している。
【符号の説明】
【００３３】
１０  環境計測装置
１２  エリア計測車
１２Ａ  荷室
１４  スポット計測車
１６  自動車
１８  日射計（計測手段）
２０  長波放射計（計測手段）
２２  温湿度計（計測手段）
２４  路面温度計（計測手段）
３４  電動駆動機構
３６  台車
３８  三次元風速計（計測手段）
４０  温湿度計（計測手段）
４２  長短波放射計（計測手段）
４４  全天撮影カメラ（計測手段）
２６，４６  小型コンピューター（誤差補正手段）
２８，４８  データロガー（データ送信手段）
３０，５０  ＧＰＳ受信機（位置取得手段）
３２，５２  バッテリー（電源供給手段）
５４  折り畳み機構
【図１】
2017227453.tif 000003
【図２】
2017227453.tif 000004
【図３】
2017227453.tif 000005